(57)【要約】      （修正有）【課題】ユーザが装置に飽きてしまいやすくなることを抑制することに好適な刺激付与装置を提供すること。【解決手段】刺激付与装置は、保持体１０と、前記保持体に設けられ利用者の肌面に刺激を与える刺激付与手段５０と、前記刺激を与えられる肌面と対応する側に位置し、刺激感を向上させる刺激補助部とを具備し、一対の刺激付与手段によって、ユーザに振動、叩き、光、電気又は熱のうちの少なくとも１つの刺激を与える。【選択図】図１
2020068960.tif 000002
【特許請求の範囲】
【請求項１】
保持体と、
前記保持体に設けられ利用者の肌面に刺激を与える刺激付与部と、
前記刺激を与えられる肌面と対応する側に位置し、刺激感を向上させる少なくとも一つの刺激補助部と
を具備することを特徴とする刺激付与装置。
【請求項２】
１の刺激補助部は、前記肌面に刺激を与える際に前記利用者の顔側に位置されて前記利用者に視覚的な刺激を与える前記保持体の部位であること
を特徴とする請求項１に記載の刺激付与装置。
【請求項３】
前記肌面に刺激を与える際に前記利用者の顔側に対向して位置される第１の面と、当該第１の面の反対側の第２の面を前記保持体が備え、
前記１の刺激補助部は、前記第１の面から前記第２の面を貫通して設けられる前記保持体の切り欠き部分を含むこと
を特徴とする請求項２に記載の刺激付与装置。
【請求項４】
前記刺激付与部が筐体を具備し、
１の刺激補助部は、前記筐体を前記保持体に回転可能に接続する接続部であること
を特徴とする請求項１ないし３のいずれか記載の刺激付与装置。
【請求項５】
前記保持体が、前記利用者の顔に装着され、
前記筐体は前記１の刺激補助部を介して前記保持体に設けられ、かつ前記利用者の目尻側に位置される第１の縁部を備え、
前記１の刺激補助部は、前記保持体の中央部よりも前記第１の縁部側に設けられること
を特徴とする請求項４に記載の刺激付与装置。
【請求項６】
前記筐体の回転軸は、前記利用者の第１の目から当該第１の目の反対側の第２の目に向かう方向を基準にして斜めに設けられており、その角度は前記基準から少なくとも０度よりも大きく１８０度よりも小さい範囲であること
を特徴とする請求項５に記載の刺激付与装置。
【請求項７】
前記角度は、４０度以上５０度以下であること
を特徴とする請求項６に記載の刺激付与装置。
【請求項８】
１の刺激補助部は、前記利用者の肌面と接触する方向又は離れる方向に移動して前記肌面に刺激を与える刺激付与体を備えることを特徴とする請求項１ないし７のいずれか記載の刺激付与装置。
【請求項９】
前記刺激付与部は、振動体を備え、
前記１の刺激補助部は、前記利用者の肌面と接触する方向又は離れる方向に移動して前記肌面に刺激を与える第２の刺激付与体をさらに備え、
前記刺激付与体は、前記振動体の振動に対応して第１のタイミングで移動し、前記第２の刺激付与体は、前記振動子の振動に対応して、前記第１のタイミングとは異なる第２のタイミングで移動すること
を特徴とする請求項８に記載の刺激付与装置。
【請求項１０】
１の刺激補助部は、前記保持体に対する前記刺激付与部の位置を相対的に移動させる移動機構であること
を特徴とする請求項１ないし９のいずれか記載の刺激付与装置。
【請求項１１】
前記刺激付与部は、前記肌面に電流を流す電極、前記肌面に熱を供給する熱供給手段、前記肌面を加湿する加湿手段、前記肌面に光を供給する発光手段のうちの少なくとも一つを備えること
を特徴とする請求項１ないし１０のいずれか記載の刺激付与装置。
【請求項１２】
前記刺激付与部の少なくとも一部は、金属及び／又は炭素を含む樹脂で形成される
ことを特徴とする請求項１ないし１１のいずれか記載の刺激付与装置。
【請求項１３】
前記保持部は、前記利用者の顔側に位置される第１の部位と、
前記利用者の顔から後頭部に向かう方向に沿って、第１の部位から延設される第２の部位を備え、
前記刺激付与部及び前記刺激補助部は前記第１の部位側に設けられ、
前記第２の部位は、前記１の刺激付与部に電力を供給する制御部を収容すること
を特徴とする請求項１ないし１２のいずれか記載の刺激付与装置。
【請求項１４】
前記第２の部位は、前記利用者の第１の側頭部側に位置される部位と、前記第１の側頭部の反対側の第２の側頭部側に位置される部位を備え、
前記制御部は、前記第１の側頭部側に位置される部位又は前記第２の側頭部側に位置される部位のどちらか一方に設けられ、
前記制御部が設けられた方とは逆側の部位には、少なくとも前記刺激付与部に電力を供給するための電源を保持する電源保持部が設けられる
ことを特徴とする請求項１３に記載の刺激付与装置。
【請求項１５】
前記保持部の一部は、弾性変形することを特徴とする請求項１ないし１４のいずれか記載の刺激付与装置。
【請求項１６】
前記弾性変形する一部と当該一部とは異なる部位は、それぞれ異なる断面二時モーメントを備えること
を特徴とする請求項１５に記載の刺激付与装置。
【発明の詳細な説明】
【技術分野】
【０００１】
本発明は、ユーザの肌面に刺激を与える刺激付与装置に関する。
【背景技術】
【０００２】
従来から、美容効果を得ることや筋肉のコリや疲れを解消することを目的としてユーザの肌面に刺激（例えば、振動）を与える様々な装置が提案されている。
【先行技術文献】
【特許文献】
【０００３】
【特許文献１】特表２０１６−５３６１０７号公報
【発明の概要】
【発明が解決しようとする課題】
【０００４】
しかしながら、上記のような装置では、ユーザが装置に飽きてしまいやすくなる場合があった。
【０００５】
本発明は、上記課題の解決のためになされたものであり、ユーザが装置に飽きてしまいやすくなることを抑制することに好適な刺激付与装置を提供することを目的とする。
【課題を解決するための手段】
【０００６】
上記の課題を解決すべく、本発明の刺激付与装置は、保持体と、前記保持体に設けられ利用者の肌面に刺激を与える刺激付与部と、前記刺激を与えられる肌面と対応する側に位置し、刺激感を向上させる刺激補助部とを備えていることを特徴とする。
【発明の効果】
【０００７】
本発明によれば、ユーザが装置に飽きてしまいやすくなることを抑制することに好適な刺激付与装置を提供することができる。
【図面の簡単な説明】
【０００８】
【図１】実施形態の目元用美容装置１の斜視図である。
【図２】実施形態の目元用美容装置１を装着した状態を正面から見た概略図である。
【図３】実施形態の目元用美容装置１を上側から見た図である。
【図４】実施形態の目元用美容装置１を背面側から見た図である。
【図５】実施形態の振動伝達部５２４の斜視図である。
【図６】実施形態の振動伝達部５２４を正面側から見た図である。
【図７】実施形態の振動伝達部５２４を上側から見た図である。
【図８】実施形態の変位機構６０を示す概略図である。
【図９Ａ】実施形態の制御部７０の構成図である。
【図９Ｂ】実施形態の制御装置７２の機能ブロック図である。
【図１０】目元用美容装置２を説明する概略図である。
【図１１】目元用美容装置２の制御装置７２の機能ブロック図である。
【図１２】目元用美容装置３を説明する概略図である。
【図１３】目元用美容装置４を説明する概略図である。
【発明を実施するための形態】
【０００９】
以下、図面を参照して本発明の実施形態を説明する。
（実施形態）
【００１０】
図１〜図９Ｂを参照して本発明の１つの実施形態にかかる目元用美容装置１（刺激付与装置）について詳細に説明する。図１は、目元用美容装置１の斜視図である。図２は、目元用美容装置１を装着した状態を正面から見た概略図である。図３は、目元用美容装置１を上から見た図である。図４は、目元用美容装置１を背面から見た図である。
【００１１】
図５は、振動伝達部５２４の斜視図である。図６は、振動伝達部５２４を正面側から見た図である。図７は、振動伝達部５２４を上側から見た図である。図８は、変位機構６０を示す概略図である。なお、図８では、図を見やすくするためにハウジング１０を破線で示している。図９Ａは、制御部７０の構成図である。図９Ｂは、制御装置７２の機能ブロック図である。
【００１２】
図１〜図９Ｂの内の所定の図（例えば、図２）において、それぞれ互いに直交するｘ、ｙ及びｚの座標軸を図示している。これらの軸によって図２を基準として方向がわかるようになっている。例えば、図２に示すように目元用美容装置１を正面から見たときの左右方向をｘ軸の方向、前後方向をｙ軸の方向、高さ（上下）方向をｚ軸の方向としている。また、図中の「○」の中に「×」が記載されたもの（例えば図２のｙ軸）は図面の表から裏に向かう矢印を意味する。また、図中の「○」の中に「●」が記載されたもの（例えば図３のｚ軸）は図面の裏から表に向かう矢印を意味する。
【００１３】
図１〜図４に示すように、目元用美容装置１は、ハウジング（保持体）１０、スイッチ群２０、動作表示部３０、電源４０、一対の刺激付与ユニット５０（刺激付与部）、変位機構６０、制御部７０及び中間接続基板８０を備える。
【００１４】
目元用美容装置１には、ここでは図示を省略したバンド（目元用美容装置１をユーザＵの顔に装着するためのもの）を取り付けることもできる。また、目元用美容装置１は、ここでは図示を省略した電源接続端子を備えており、外部電源（例えば、商用電源やモバイルバッテリーやパソコンなど）から電力を得ることができる。
【００１５】
目元用美容装置１は、一対の刺激付与ユニット５０によってユーザＵに振動、叩き、光、電気又は熱のうちの少なくとも一つの刺激を与える刺激付与装置である。
【００１６】
図２に示すように目元用美容装置１は、ユーザＵの顔に装着された際、一対の刺激付与ユニット５０が少なくともユーザＵの目元（眼頭及び目尻を含む部位）を覆い、目元以外の眼部や、鼻や、口などは露出するように構成されている。
【００１７】
振動による刺激は、ユーザＵの肌面を震わせるものである。振動によって、ユーザＵは、肌の血行を改善したり、ユーザＵをリラックスさせたりする効果を期待することができる。
【００１８】
叩きによる刺激の１つはツボ（経穴）を押すことである。「ツボ（経穴）」とは、中医学、漢方医学、経絡学の概念である。体内の異常に応じて体表の特定の部位に対応して現れるもので指圧、鍼、灸などで刺激を与えることでユーザＵの体調の調整、ユーザＵにとって不快な様々な症状（例えば、だるさ、むくみなど）の緩和を図るものである。また、ユーザＵは、血行をよくして皮膚のシワを改善する効果も期待することができる。
【００１９】
目元にも様々なツボが存在しており、例えば、眼頭近くの「清明（せいめい）」目尻の近くに位置する「瞳子りょう（どうしりょう）」、目尻と眼頭の間にある「承泣（しょうきゅう）」及びこめかみの近くの「太陽（たいよう）」などが知られている。
【００２０】
光による刺激の１つは、発光装置（例えば、ＬＥＤ）の光を肌面に供給することである。青色光の照射によって、ユーザＵは、例えばニキビの改善を期待することができる。赤色光の照射によって、ユーザＵは、例えばシミやしわの緩和、肌の新陳代謝の促進を期待することができる。黄色光の照射によって、ユーザＵは、例えばリンパの流れを活性化させて損傷した細胞の修復の促進を期待することができる。
【００２１】
電気による刺激の１つは、例えばＥＭＳである。「ＥＭＳ」とはＥｌｅｃｔｒｉｃａｌ  Ｍuｓｃｌｅ  Ｓｔｉｍuｌａｔｉｏｎ：電気的筋肉刺激の頭文字である。ユーザＵの肌にパルス性の電流（ＥＭＳ用電流）を流して、ユーザＵの筋肉を強制的に収縮運動させることにより、リンパ液の流れを促進させて疲労回復等のトリートメントを行ったり、筋肉の強化を図ったりすることができる。
【００２２】
なお、目元用美容装置１は、肌面にはＥＭＳ用電流とは異なる電流を流すこともできる。「ＥＭＳ用電流とは異なる電流」とは、例えば、ＥＭＳ電流よりも弱い電流や、ＥＭＳ電流の周波数と異なる周波数の電流や、ユーザＵに極めて知覚されにくい電流（マイクロカレントともいう）である。
【００２３】
また、電気による刺激には、イオン導入又はイオン導出と言われる美容処理を含めてもよい。
【００２４】
イオン導入は、微弱な電気を使用して、ビタミンＣを真皮まで浸透させる美容処理である。イオン導出は、微弱な電気を使用して、洗顔やクレンジングでは落としきれない毛穴の汚れやメイク残りをイオンの力で浮かせる美容処理である。
【００２５】
熱による刺激の１つは、肌を温める（加熱する）ことである。熱による刺激の１つに、肌を冷却する（吸熱する）ことを含めてもよい。以下、ユーザＵの肌面に熱による刺激を与えることを熱的制御と称す。
【００２６】
目元用美容装置１は、刺激を与えられる肌面と対応する側に位置し刺激感を向上させる刺激補助部を少なくとも１つ備えている。この実施形態では一例として、刺激補助部は４つある。
【００２７】
詳細は後で説明するが、刺激補助部の１つは、図１に示したハウジング１０の正面部１０１の開放部１０ａである。刺激補助部の１つは、図５に示した刺激付与ユニット５０が備える振動伝達部５２４である。刺激補助部の１つは、図８に示した変位機構６０が備えるスライド部（スライダーともいう）６１０である。刺激補助部の１つは、図８に示した変位機構６０が備える回転部６２０である。
【００２８】
図１に示すようハウジング１０は、全体的に略Ｕ字状（略馬蹄形状ともいう）を備えている。ハウジング１０は、例えば、プラスチックで形成されており所定の剛性を備えている。
【００２９】
ハウジング１０は、正面部１０１と、第１の側面部１０２と、この第１の側面部１０２の反対側に位置する第２の側面部１０３を備えている。
【００３０】
ハウジング１０は、正面部１０１、第１の側面部１０２及び第２の側面部１０３を含めて、ユーザＵの頭囲の半分以上を囲う長さを備えることが望ましい。頭囲の半分以上を囲うことによって目元用美容装置１を装着した状態でユーザＵが立ち上がったり、下を見たりするなどの体位の変化があっても、目元用美容装置１が落下しにくくなり、安全性が向上する。
【００３１】
なお、このような長さは、多数の男女の目元周囲の形状をサンプリングして得られる平均的な長さであることが望ましい。
【００３２】
ハウジング１０は、正面側（ハウジング１０を全体的に見た場合に、目元用美容装置１の装着時にユーザＵの顔の正面に位置する側であり、正面部１０１が位置する側）が、上方から下方（図２のｚ軸のマイナス方向）に向かって凹状に切り欠かれている。
【００３３】
凹状の切り欠き部分を囲う正面部１０１の一部、第１の側面部１０２の一部及び第２の側面部１０３の一部を指して開放部１０ａという。正面部１０１、第１の側面部１０２及び第２の側面部１０３の間に位置する空間を含めて開放部１０ａと呼んでもよい。開放部１０ａは、１の刺激補助部である。
【００３４】
開放部１０ａは、上記したようにハウジング１０を凹状に切り欠いたり、貫通孔を設けたりすることで形成される。また、例えば、射出成型によってハウジング１０を図１などに示した形状に成型することで、物理的にハウジング１０を切り欠いたり、貫通孔を設けたりする加工を行わなくとも、開放部１０ａを形成することができる。
【００３５】
開放部１０ａによってユーザＵの視界が確保される。したがって、ユーザＵの目元に上記した振動、叩き、光、電気又は熱のうちの少なくとも一つの刺激を与えながら、さらに視覚的な刺激をユーザＵに与えることができる。
【００３６】
正面部１０１は、上面１０１ａ、底面１０１ｂ、正面１０１ｃ、裏面１０１ｄを備える。
【００３７】
正面部１０１は、目元用美容装置１がユーザＵの顔に装着された際に、顔を横断する。正面部１０１は、目元用美容装置１の装着時にユーザＵの鼻が邪魔にならないようにするための孔１０１eも備える。孔１０１eは、正面部１０１の略中央部の底面１０１ｂ側に位置する。
【００３８】
上面１０１ａは、開放部１０ａが設けられていることによって第１の側面部１０２の上面１０２ａや第２の側面部１０３の上面１０３ａよりも高さ（正面部１０１の底面１０１ｂを基準にしたときの上方に突出する長さ）が低い（短い）。なお上面１０１ａ、上面１０２ａ及び上面１０３ａは、目元用美容装置１を全体として見た場合のハウジング１０の上面に相当する。
【００３９】
正面部１０１と第１の側面部１０２の接続部（以下、接続部１０４ともいう）は弾性変形しやすくなっている。正面部１０１と第２の側面部１０３の接続部も同様である。
【００４０】
接続部１０４が弾性変形することによって第１の側面部１０２及び第２の側面部１０３が各々外側に広がるのでユーザＵは、目元用美容装置１を容易に装着することができる。
【００４１】
接続部１０４は、例えば、全体的に蛇腹状に形成されるなどして、ある箇所（第１の箇所）の断面とその他の箇所（第２の箇所）の断面が異なるように（すなわち、断面二次モーメントが異なるように）形成されることで弾性を備えることができる。なお、弾性変形が可能であれば接続部１０４の断面形状は特に限定されない。
【００４２】
第１の側面部１０２は、制御部７０を収容し、第２の側面部１０３は、電源４０を収容する。第１の側面部１０２及び第２の側面部１０３は、正面部１０１の両端部にそれぞれ接続する。
【００４３】
スイッチ群２０は、第１の側面部１０２の外側面（ユーザＵが目元用美容装置１を装着した際に外部に露出する面。ユーザＵの側頭部とは反対側の面ともいう。）に設けられている。スイッチ群２０は、ユーザＵによって操作されるので、一部が第１の側面部１０２の外側面から露出している。
【００４４】
スイッチ群２０によって、目元用美容装置１の電源のＯＮ又はＯＦＦや動作モードの変更が可能になる。「動作モードの変更」とは、ユーザＵに与えられる刺激の組み合わせや強弱の変更を意味する。なお、スイッチ群２０の配置位置は特に限定されず、例えば、正面部１０１や第２の側面部１０３に位置してもよい。
【００４５】
動作表示部３０は、例えば、ＬＥＤ（light  emitting  diode）などの発光素子を用いて実現されるインジケータである。
【００４６】
動作表示部３０は、目元用美容装置１の動作状態（例えば、電源のＯＮやＯＦＦの状態や動作モード）をユーザＵが視認するために設けられる。
【００４７】
動作表示部３０は、正面部１０１の外側面（ユーザＵが目元用美容装置１を装着した際に外部に露出する面）に設けられている。ここでは一例として、動作表示部３０は、正面部１０１の上面１０１ａの略中央部に設けられている。
【００４８】
動作表示部３０をこの位置に設けることで、ユーザＵは、目元用美容装置１を取り外すことなく、装着したままで目元用美容装置１の動作状態を視認することができる。
【００４９】
動作表示部３０は、目元用美容装置１の動作状態を光の色や、点滅パターンで報知することができる。
【００５０】
動作表示部３０の配置位置はこの位置に限定されず、例えば、第１の側面部１０２や第２の側面部１０３に位置してもよい。
【００５１】
動作表示部３０として、ディスプレイ装置（例えば、有機ＥＬディスプレイや液晶ディスプレイ）を採用してもよい。ディスプレイ装置を用いる場合、開放部１０ａ内に動作表示部３０を配置して、目元用美容装置１をヘッドマウントディスプレイタイプの装置にすることもできる。
【００５２】
ヘッドマウントディスプレイタイプとする場合、単眼型や、視界を完全に塞がない非透過型を採用することで、目に入ってくる情報量が増えて目元用美容装置１の使用中の視覚的な刺激を増やすことができる。
【００５３】
電源４０は、第２の側面部１０３に配置される。電源４０は、例えば電池（例えば、一次電池、二次電池又は燃料電池）である。目元用美容装置１を外部電源の電力のみで動作させるように構成する場合、電源４０は備えずともよい。
【００５４】
一対の刺激付与ユニット５０には、右目用の刺激付与ユニット５０Ｒと左目用の刺激付与ユニット５０Ｌがある。刺激付与ユニット５０Ｒ及び刺激付与ユニット５０Ｌは、互いに対称的な形状を有している。図３に示すように正面部１０１の裏面１０１ｄに並んで配置される。
【００５５】
刺激付与ユニット５０Ｒ及び刺激付与ユニット５０Ｌは、構成及び機能が共通している。したがって、以下の説明では、一対の刺激付与ユニット５０（刺激付与ユニット５０Ｒ及び刺激付与ユニット５０Ｌ）を「刺激付与ユニット５０」としてまとめて説明する。
【００５６】
ただし、必要に応じて刺激付与ユニット５０Ｒ及び刺激付与ユニット５０Ｌを個別に説明する。
【００５７】
刺激付与ユニット５０は、筐体５１０、振動部５２０、電極部５３０（図３参照）、ヒータ５４０及び発光部５５０（図４参照）を備えている。
【００５８】
筐体５１０は、ハウジング１０と同様に、例えば、プラスチックで形成されており所定の剛性を備えている。
【００５９】
刺激付与ユニット５０は、ハウジング１０の裏面１０１ｄに回転及びスライド可能に設けられる。回転及びスライドについては後で説明する。
【００６０】
筐体５１０は、振動部５２０、電極部５３０、発光部５５０及びヒータ５４０を収容する。
【００６１】
筐体５１０は、全体的にｘ軸方向に長く形成されており、全体的にｙ軸方向に緩くカーブしている。図２に示すように少なくとも筐体５１０は、ユーザＵの目の幅（例えば、右目の眼頭から右目の目尻までの長さ。左目も同様）よりも長く形成されている。
【００６２】
図４に示すように筐体５１０の上面５１０ａは、ユーザＵの視界を邪魔しないように一部がスロープ状に形成されている（図４の符号「５１１」参照）。
【００６３】
したがって、図４に示すように目元用美容装置１の１０１ｄを正面に見たときの上面５１０ａの輪郭の形状は、略クランク形状（Ｓ字やＺ字の形状を崩したような形状ともいう）となる。
【００６４】
「ユーザＵの視界を邪魔しない」ために上面５１０ａの一番低い部分の高さ（正面部１０１の底面１０１ｂを基準にしたときの上方に突出する長さ）は、ハウジング１０（正面部１０１）の上面１０１ａと同等であることが望ましい。
【００６５】
筐体５１０は、接触面５１０ｂを備えている。
【００６６】
接触面５１０ｂは、目元用美容装置１をユーザＵが装着時したときにユーザＵの肌面に接触する接触部である。接触面５１０ｂは、人体の曲面に対応させて曲面形状を備えている。
【００６７】
このような曲面は、多数の男女の目元周囲の形状をサンプリングして得られる平均的な形状であることが望ましい。
【００６８】
接触面５１０ｂには、振動部５２０の一部（この後説明する第１叩き部５２１や第２叩き部５２２）、電極部５３０及び発光部５５０が配置される。
【００６９】
振動部５２０は、第１叩き部５２１、第２叩き部５２２、振動モータ５２３及び振動伝達部５２４（１の刺激補助部）を備える。
【００７０】
図４に示すように第１叩き部５２１及び第２叩き部５２２は並んで配置されている。第１叩き部５２１は、ユーザＵの目頭側に位置し、第２叩き部５２２は、ユーザＵの目尻側に位置している。
【００７１】
第１叩き部５２１及び第２叩き部５２２は、目元用美容装置１の装着時にユーザＵの肌面に当節される。第１叩き部５２１及び第２叩き部５２２は、振動伝達部５２４の一部に筐体５１０内から押されて、ユーザＵの肌面に叩く刺激を与える。
【００７２】
第１叩き部５２１及び第２叩き部５２２は、ユーザＵに心地よい叩きの刺激を与えるために、可撓性、伸縮性、弾性のうちの少なくとも一つを備える部材（例えば、ゴム、樹脂、発泡プラスチック、布類など）で形成されることが望ましい。
【００７３】
振動モータ５２３は、刺激付与ユニット５０Ｒの場合、筐体５１０の中の第１の側面部１０２側に位置する。同様に刺激付与ユニット５０Ｌの場合、筐体５１０の中の第２の側面部１０３側に位置する。振動モータ５２３がこのようにハウジング１０の中央部を中心として略左右対称に位置することによって、目元用美容装置１の重量バランスが良くなる。
【００７４】
図５に示すように振動モータ５２３は、モータ本体５２３ａ及びおもり（例えば、分銅）５２３ｂを備えている。振動モータ５２３は、振動伝達部５２４に取り付けられる。
【００７５】
振動モータ５２３により発生する振動エネルギーは、振動伝達部５２４を介して肌面を叩く方向のエネルギーに変換され、第１叩き部５２１（図４参照）及び第２叩き部５２２（図４参照）に伝わる。
【００７６】
なお、振動モータ５２３の振動エネルギーの多くは第１叩き部５２１及び第２叩き部５２２に伝わるが、筐体５１０にも伝わるので、筐体５１０は振動する。この結果、第１叩き部５２１及び第２叩き部５２２による叩く刺激と、筐体５１０の振動の刺激をユーザＵの肌面に与えることができる。
【００７７】
振動モータ５２３は、図５に示すように、この後説明する振動伝達部５２４の軸部５２６からおもり５２３ｂが離れるように（ここでは、斜め方向に離れるように）振動伝達部５２４に取り付けられる。
【００７８】
おもり５２３ｂは、振動伝達部５２４から離れた距離に応じて、より大きなモーメントを発生させる。距離によってモーメントが大きくなれば、おもり５２３ｂを大きくしなくても十分な刺激をユーザＵに与えることができる。この結果、目元用美容装置１の重量が大きくなってしまうことを抑制することができるし、目元用美容装置１をコンパクトにすることができる。
【００７９】
なお、振動モータ５２３の替わりに、例えばリニアバイブレータや圧電素子などの振動子を刺激付与ユニット５０が備えてもよい。
【００８０】
図５〜図７に示すように、振動伝達部５２４は、軸部５２６、腕部５２７、モータ保持部５２８を備える。なお、図５〜図７に示す振動伝達部５２４は、刺激付与ユニット５０Ｒが備えるものである。
【００８１】
刺激付与ユニット５０Ｒと刺激付与ユニット５０Ｌは対称性を有するので、刺激付与ユニット５０Ｌの振動伝達部５２４は、刺激付与ユニット５０Ｒの振動伝達部５２４とは形状が逆になる。ただし、構成や作用は共通するので、ここでは刺激付与ユニット５０Ｒの振動伝達部５２４のみ詳細に説明する。
【００８２】
振動伝達部５２４は、梃子（てこ）の原理により、力点に対応する振動モータ５２３の振動エネルギーを、支点に対応する軸部５２６によって、ユーザの肌面を叩くエネルギーに変換する。この叩くエネルギーが、作用点に対応する腕部５２７の先端及びモータ保持部５２８の先端を介して第１叩き部５２１（図４参照）及び第２叩き部５２２（図４参照）にそれぞれ伝わることで、ユーザＵの肌面を叩くことができる。
【００８３】
なお、振動伝達部５２４の少なくとも一部（例えば、この後説明する軸部５２６、胴部５２６ａ、接触面５２７ａ又は接触面５２８ａなど）を、金属などの高伝熱材料で構成してもいい。これにより、振動モータ５２３の消費電力で副次的に発生する熱エネルギーを第１叩き部５２１及び/又は第２叩き部５２２を通して、ユーザＵの肌に伝達することができ、体感をさらに良くすることができる。
【００８４】
図５に示すように、軸部５２６は、胴部５２６ａ、第１の回転軸５２６ｂ及び第２の回転軸部５２６ｃを備えている。
【００８５】
胴部５２６ａは、第１の回転軸５２６ｂ及び第２の回転軸部５２６ｃを支えるベースである。
【００８６】
第１の回転軸５２６ｂ及び第２の回転軸部５２６ｃは、胴部５２６ａの第１の端部及びこの第１の端部の反対側の第２の端部からそれぞれ突出している。
【００８７】
第１の回転軸５２６ｂ及び第２の回転軸部５２６ｃは、筐体５１０（図４参照）に回転可能に設けられる。この結果、振動伝達部５２４全体が筐体５１０と相対的に回転する。このときの回転軸を回転軸Ａｘ１と称す。なお、振動伝達部５２４全体が筐体５１０と相対的に回転可能であれば、軸部５２６の形状及び構成は特に限定されない。
【００８８】
腕部５２７は、胴部５２６ａから横方向に突出している。「横方向」とは、回転軸Ａｘ１と腕部５２７がなす角度が所定（例えば、０度より大きく１８０度より小さい）角度であることを意味する。ここでは、腕部５２７は、回転軸Ａｘ１となす角度が略９０度となる水平方向に突出している。
【００８９】
図６に示すように腕部５２７の先端部には、図４に示した第１叩き部５２１と接触する接触面５２７ａが設けられる。接触面５２７ａが、第１叩き部５２１（図４参照）を筐体５１０内からユーザＵの肌面方向に叩くことで、結果的にユーザＵの肌面が叩かれる。
【００９０】
モータ保持部５２８は、腕部５２７とは異なる方向（ここでは略反対方向）に向かって胴部５２６ａから横方向（ここでは、一例として全体として回転軸Ａｘ１となす角度が略４５度程度）に突出している。
【００９１】
モータ保持部５２８は、振動モータ５２３（図５参照）を保持する。モータ保持部５２８から振動モータ５２３に向かってリード線５２９（図５参照）が設けられる。
【００９２】
リード線５２９は振動モータ５２３の基端側（おもり５２３ｂが設けられた方とは逆側）に取り付けられて振動モータ５２３に電力を供給する。このことによりリード線５２９が不要に長くなってしまうことを抑制でき、振動モータ５２３の回転によるリード線５２９自身の振動（振幅）を小さくすることができる。この結果、リード線５２９が断線してしまうことを抑制することができる。このことは、目元用美容装置１の品質向上につながる。
【００９３】
図６に示すようにモータ保持部５２８の表面側（振動モータ５２３が保持される側とは逆側。腕部５２７の接触面５２７ａと対応する側。）には、第２叩き部５２２（図４参照）と接触する接触面５２８ａが設けられる。接触面５２８ａが、第２叩き部５２２を筐体５１０内からユーザＵの肌面方向に叩くことで、第１叩き部５２１に叩かれるユーザＵの肌面の部位とは異なる部位が叩かれる。
【００９４】
図７に示すように振動モータ５２３のおもり５２３ｂは、例えば時計回りに回転する（図中の矢印Ａｒ１参照）。振動伝達部５２４は、おもり５２３ｂの偏心回転に対応して往復的に回転する。
【００９５】
詳述すると、例えば、おもり５２３ｂが図７に示した位置から時計回りに半回転した場合、振動伝達部５２４のモータ保持部５２８側は、軸部５２６の回転軸Ａｘ１を境に接触面５２８ａが第２叩き部５２２（図４参照）から離れる方向に移動（図中の矢印Ａｒ２参照）する。
【００９６】
その逆に振動伝達部５２４の腕部５２７側は、軸部５２６の回転軸Ａｘ１を境に接触面５２７ａが第１叩き部５２１（図４参照）と接触する方向に移動する（図中の矢印Ａｒ３参照）。
【００９７】
この結果として、接触面５２７ａが第１叩き部５２１を叩いてユーザＵの肌面を叩く。
【００９８】
おもり５２３ｂがさらに時計回りに半回転する（図中の矢印Ａｒ４参照）と、振動伝達部５２４のモータ保持部５２８側は、軸部５２６の回転軸Ａｘ１を境に今度は接触面５２８ａが第２叩き部５２２（図４参照）と接触する方向に移動する（図中の矢印Ａｒ５参照）。
【００９９】
その逆に振動伝達部５２４の腕部５２７側は、軸部５２６の回転軸Ａｘ１を境に今度は接触面５２７ａが第１叩き部５２１（図４参照）から離れる方向に移動する（図中の矢印Ａｒ６参照）。
【０１００】
この結果として、接触面５２７ａと第１叩き部５２１との接触が断ち切られて第１叩き部５２１によるユーザＵの肌面への叩きが終了するとともに、接触面５２８ａが第２叩き部５２２を叩いてユーザＵの肌面を叩く。
【０１０１】
この動作を繰り返すことで、ユーザＵの肌面へ心地よい叩きの刺激を与えることができる。
【０１０２】
電極部５３０は、図４に示すように第１電極部５３０ａ及び第２電極部５３０ｂを備えている。第１電極部５３０ａは、第１叩き部５２１の周りに位置する。第２電極部５３０ｂは、第２叩き部５２２の周りに位置する。
【０１０３】
第１電極部５３０ａ及び第２電極部５３０ｂ間に電圧を印加することによってユーザＵの肌面に電流を流すことができる。
【０１０４】
第１電極部５３０ａ及び第２電極部５３０ｂは、例えば、金属化合物又は炭素化合物のどちらか一方を少なくとも含むことができる。又は、これらを含む樹脂で第１電極部５３０ａ及び第２電極部５３０ｂを形成してもよい。
【０１０５】
第１電極部５３０ａ及び第２電極部５３０ｂは射出成型によって形成されることで、人体の曲面に合わせた複雑な形状を備えることができ、電流や熱を効率よく肌面に供給させやすくなる。
【０１０６】
刺激付与ユニット５０Ｒは、複数の第１電極部５３０ａ及び複数の第２電極部５３０ｂを備えてもよい。複数の第１電極部５３０ａが接触面５２７ａを取り囲むように位置してもよい。
【０１０７】
この場合、個々の第１電極部５３０ａは互いに離れて位置する。同様に複数の第２電極部５３０ｂが接触面５２８ａを取り囲むように位置してもよい。刺激付与ユニット５０Ｌも同様である。
【０１０８】
第１電極部５３０ａ及び第２電極部５３０ｂへの電圧の印加は、制御部７０が行う。制御部７０は、刺激付与ユニット５０Ｒに位置する複数のうちの一対の第１電極部５３０ａ間に電圧をかけたり、複数のうちの一対の第２電極部５３０ｂ間に電圧をかけたりすることができる。また、複数のうちの１の第１電極部５３０ａ及び複数のうちの１の第２電極部５３０ｂ間に電圧をかけたりすることもできる。
【０１０９】
また、制御部７０は、刺激付与ユニット５０Ｒ及び刺激付与ユニット５０Ｌの各電極の所定のペアに電圧を印加することもできる。
【０１１０】
ヒータ５４０は、第１電極部５３０ａ及び／又は第２電極部５３０ｂと熱的に接続している。
【０１１１】
ヒータ５４０は、第１電極部５３０ａ及び／又は第２電極部５３０ｂを介してユーザＵの肌面を温める（すなわち熱的な刺激をユーザＵに与える）。ヒータ５４０の配置位置は特に限定されず、ヒータ５４０は、筐体５１０内の所定箇所に位置する。ヒータ５４０は、例えば振動モータ５２３の近傍に位置する。
【０１１２】
ヒータ５４０は、例えば、熱放射によって第１電極部５３０ａ及び／又は第２電極部５３０ｂを加熱する。ヒータ５４０は、第１電極部５３０ａ及び／又は第２電極部５３０ｂを直接的に接触して加熱してもよい。ヒータ５４０と第１電極部５３０ａ及び／又は第２電極部５３０ｂの間に熱良導体を介在させてもよい。
【０１１３】
ヒータ５４０は、特に限定されず、例えば、セメント抵抗やペルチェ素子を採用することができる。ペルチェ素子を採用する場合、第１電極部５３０ａ及び／又は第２電極部５３０ｂを加熱するだけではなく、冷却することもできる。この場合、ユーザＵの肌面に温又は冷の刺激を与えることができる。
【０１１４】
発光部５５０は、例えば、図示しないＬＥＤを備え、ユーザＵの肌面に様々な色の光を照射する。発光部５５０の配置位置は、特に限定されず接触面５１０ｂの所定の場所に位置することができる。
【０１１５】
図８に示すように変位機構６０は、スライド部６１０及び回転部６２０を備えている。変位機構６０は、筐体５１０やハウジング１０と同様に、例えば、プラスチックで形成されており所定の剛性を備えている。
【０１１６】
変位機構６０は、刺激付与ユニット５０Ｒ及び刺激付与ユニット５０Ｌに対応して正面部１０１内に設けられる。したがって、ここでは、同様の構成を有する一対の変位機構６０が正面部１０１内に一対設けられる。
【０１１７】
変位機構６０が、スライド部６１０及び回転部６２０を備えることによって、刺激付与ユニット５０とハウジング１０を互いに相対的に移動及び回転可能に接続される。
【０１１８】
詳述すると、スライド部６１０は、図８に示すように目元用美容装置１を上面側から見た場合、刺激付与ユニット５０がハウジング１０の長手方向（水平方向）に沿って移動（スライド）するように刺激付与ユニット５０とハウジング１０を接続する。この結果、刺激付与ユニット５０Ｒ及び刺激付与ユニット５０Ｌは、各々独立して移動可能であり、例えば、互いに近づくように又は離れるように移動することができる。
【０１１９】
スライド部６１０による刺激付与ユニット５０の移動方向は、特に限定されないが、例えば、この後説明する仮想的な基準線Ｌ２又は仮想線Ｌ３に略並行に移動することが望ましい。
【０１２０】
スライド部６１０は、本体６１１、係止部６１２、第１の腕部６１３及び第２の腕部６１４を備えている。
【０１２１】
本体６１１は、目元用美容装置１を上面側から見た場合、刺激付与ユニット５０に向かって開口する開口６１１ａを備える略Ｃ字状の筒体である。開口６１１ａ内には、回転部６２０が回転可能にかつ脱落しないように設けられる。本体６１１は、回転部６２０を介して刺激付与ユニット５０を保持する。
【０１２２】
本体６１１は、ハウジング１０の正面部１０１内部に形成された空間１０１ｆに位置しており、空間１０１ｆ内を移動する。
【０１２３】
係止部６１２は、本体６１１の開口６１１ａ内に位置する。係止部６１２は、本体６１１と同心的に配置された円柱体であり、その直径は、本体６１１よりも小さい。したがって、係止部６１２の外周面と、本体６１１の内周面（開口６１１ａ内の壁面）との間には空間があいている。
【０１２４】
第１の腕部６１３は、刺激付与ユニット５０の移動方向に向かって本体６１１から突出している。第１の腕部６１３は、刺激付与ユニット５０の移動方向に向かって空間１０１ｆから突出する溝部１０１ｇ内に少なくとも一部が進退可能に挿入されている。第１の腕部６１３は、溝部１０１ｇによって移動方向がガイドされる。
【０１２５】
第２の腕部６１４は、刺激付与ユニット５０の移動方向に向かってかつ第１の腕部６１３とは逆方向に本体６１１から突出している。第２の腕部６１４は、刺激付与ユニット５０の移動方向に向かってかつ溝部１０１ｇとは逆方向に空間１０１ｆから突出する溝部１０１ｈ内に少なくとも一部が進退可能に挿入されている。第２の腕部６１４は、溝部１０１ｈによって、移動方向がガイドされる。
【０１２６】
上記した第１の腕部６１３及び第２の腕部６１４の先端部は、溝部１０１ｇ及び溝部１０１ｈ内にそれぞれ常に位置している。この結果、スライド部６１０がハウジング１０から脱落してしまうことがない。
【０１２７】
スライド部６１０は、移動に対してある程度抵抗力を持つことが望ましい。すなわち、ユーザＵがある程度力をこめることで移動し、それ以外はその場に留まることが望ましい。
【０１２８】
このような機能は、例えばゴムや金属板を用いることで得られる摩擦力によって実現することができる。また、例えば、第１の腕部６１３及び／又は第２の腕部６１４に凸状の爪を設け、溝部１０１ｇ及び／又は溝部１０１ｈにこの爪が引っかかる溝を設けるようにしてもよい（爪と溝の形成関係は逆でも良い）。また、バネなどの弾性体を用いてもよい。
【０１２９】
なお、刺激付与ユニット５０がスライド可能であれば、スライドのための構成は特に限定されない。例えば溝部１０１ｇ及び溝部１０１ｈの代わりに、刺激付与ユニット５０の移動方向に向かって伸びる棒状のレールを設けて、スライド部６１０がこのレール上を移動するように構成してもよい。
【０１３０】
回転部６２０は、略中央部に縁が円状の孔が設けられた略円筒状（略円環状ともいう）の部材である。回転部６２０の孔に係止部６１２が挿入されることによって、回転部６２０がハウジング１０から脱落してしまうことが防止される。
【０１３１】
回転部６２０は、目元用美容装置１を上面側見た場合の時計回り方向又は反時計回り方向に刺激付与ユニット５０が回転するように刺激付与ユニット５０とハウジング１０を接続する。
【０１３２】
回転部６２０は、スライド部６１０の本体６１１の内周面及び係止部６１２の外周面とそれぞれ対応する外周面及び内周面を備えており、スライド部６１０と相対的に回転する。
【０１３３】
回転部６２０の一部はスライド部６１０の本体６１１の開口６１１ａから露出しており、ハウジング１０から外（目元用美容装置１装着時にユーザＵの顔がある方向）に突出している。
【０１３４】
この突出した回転部６２０の一部は刺激付与ユニット５０に固定されている。したがって、刺激付与ユニット５０は、回転部６２０と一体的にスライド部６１０と相対的に回転する。この結果として、刺激付与ユニット５０は回転部６２０を回転軸としてハウジング１０に対して相対的に回転する。
【０１３５】
なお、上記したリード線５２９は、筐体５１０から回転部６２０を通ってハウジング１０内部に配線され、ハウジング１０内で中間接続基板８０及び／又は制御部７０に電気的に接続されてもよい。これにより、刺激付与ユニット５０を回転及び／又スライドする場合でも、リード線５２９はハウジング１０の外部に露出しないので、断線などの品質不具合を防止できる。
【０１３６】
突出した回転部６２０の一部の突出方向（図中の仮想線Ｌ１参照）の、仮想的な基準線Ｌ２に対する角度θ（絶対値）は、少なくとも０度よりも大きく１８０度よりも小さい範囲内あり、好ましくは４０度以上〜５０度以下、より好ましくは４３度以上〜４７度以下、さらにより好ましくは４４度以上〜４６度以下である。この角度は、人体の顔が曲面であることを勘案して決定されている。
【０１３７】
なお、仮想的な基準線Ｌ２は、ｘ軸に沿っており、より詳細には、人の右目（又は左目）から左目（又は右目）に向かう方向に沿って延びている。
【０１３８】
このように人体の顔が曲面であることを勘案して回転部６２０の一部を所定の角度で突出させることで、刺激付与ユニット５０の配置方向を人体の顔の曲面に対応させることができる。この結果、ユーザＵの肌面への刺激付与ユニット５０の接触性を向上させることができる。
【０１３９】
回転部６２０は、目元用美容装置１の中央部（孔１０１eが形成される部分）よりも目尻側に位置している。この配置によって、ユーザＵの目頭と目尻間の間に回転部６２０を位置させやすくなる。
【０１４０】
回転部６２０の配置位置は、刺激付与ユニット５０から規定することもできる。例えば、筐体５１０の第１の側面（目元用美容装置１の装着時に目尻側に位置し、接触面５１０ｂを含まず、かつ他方の刺激付与ユニット５０から遠い方の側面）５１０cの所定の一点と、第２の側面（第１の側面５１０ｃとは反対側の側面）５１０ｄの所定の一点を最短で結ぶ仮想線Ｌ３の中点Ｐから仮想的な基準線L２までを最短で結ぶ仮想線Ｌ４よりも目尻側を回転部６２０の配置位置とすることができる。
【０１４１】
なお、回転部６２０は、回転に対してある程度抵抗力を持つことが望ましい。抵抗力の実現手段は、スライド部６１０と同様である。本体６１１と刺激付与ユニット５０を一体的に形成するようにしてもよい。
【０１４２】
さらに、回転部６２０及び／又はスライド部６１０の少なくとも一部は、例えば、図示しないゴムブッシュなどの弾性材料で構成されてもよい。この構成によって刺激付与ユニット５０を弾性的にハウジング１０に接続すれば、刺激付与ユニット５０内で発生した振動をハウジング１０に伝わりにくくすることができる。この結果、例えば、制御部７０が振動してしまうことを抑制することができ、目元用美容装置１が故障してしまうことを効果的に抑制することができる。また、この結果、例えば、スイッチ群２０がハウジング１０に伝わった振動によって揺らされることで振動音が発生してしまうことも効果的に抑制することができる。
【０１４３】
ここでは図示を省略したが、回転部６２０には、刺激付与ユニット５０が収容する各部に電力を供給するための配線が設けられるための孔が設けられる。この孔を介して配線を設けることによって刺激付与ユニット５０がスライド及び/又は回転しても刺激付与ユニット５０が収容する各部に電力を供給することができる。
【０１４４】
図９Ａに示すように、制御部７０は、メモリ装置７１、制御装置７２、Ｉ／Ｏ（Input/Output）部７３を少なくとも備える。メモリ装置７１、制御装置７２、Ｉ／Ｏ部７３は、バス７４によって電気的に接続される。
【０１４５】
制御部７０は、電子回路基板上にメモリ装置７１、制御装置７２、Ｉ／Ｏ部７３や種々の電気回路や電子回路を実装することで実現できる。
【０１４６】
メモリ装置７１は、例えば、ＲＯＭ（read only memory）やＲＡＭ（Random Access Memory）である。メモリ装置７１には、例えば、目元用美容装置１を動作させるためのプログラムや様々な設定値（例えば、上記した電流や光の強さや、供給時間など）が記憶される。
【０１４７】
制御装置７２は、例えば、ＣＰＵ（Central Processing unit）、ＭＰＵ（Micro-processing unit）、システムＬＳＩなどである。制御装置７２がプログラムを実行することで図９Ｂに示す種々の機能が実現される。
【０１４８】
Ｉ／Ｏ部７３は、制御部７０にスイッチ群２０、動作表示部３０、電源４０、刺激付与ユニット５０、中間接続基板８０などを電気的に接続するためのインターフェースである。
【０１４９】
図９Ｂに示すように制御部７０は、電源制御部７２ａ、電極制御部７２ｂ、発光制御部７２ｃ、振動制御部７２ｄ、ヒータ制御部７２ｅ、操作検知部７２ｆ及び充電制御部７２ｇとして少なくとも機能する。
【０１５０】
制御部７０は、時間を計ることができるタイマー部（タイマ回路）や、変電部（例えば、昇圧回路、降圧回路、整流回路、発信回路など）や、温度検知部（温度センサを含む温度検知回路）など目元用美容装置１に必要な様々な機能（制御回路）を備えることができる。また、動作表示部３０がディスプレイ装置の場合には、表示制御部（表示制御回路）を備えることができる。
【０１５１】
電源制御部７２ａは、目元用美容装置１のメイン電源のＯＮ又はＯＦＦを制御する。
【０１５２】
電極制御部７２ｂは、電極部５３０に電圧を印加してユーザＵの肌面に電流を流す。電極制御部７２ｂは、電極部５３０に印加する電圧の強さや、印加時間や、電極のペアの切り替えなどを制御する。
【０１５３】
発光制御部７２ｃは、動作表示部３０や発光部５５０を制御する。発光制御部７２ｃは、動作表示部３０や発光部５５０の発光のＯＮ又はＯＦＦや発光色の変更などを行う。
【０１５４】
振動制御部７２ｄは、振動モータ５２３の駆動のＯＮ又はＯＦＦを制御する。振動制御部７２ｄは、振動モータ５２３の駆動タイミングや回転速度などを刺激付与ユニット５０Ｒと刺激付与ユニット５０Ｌで個別に制御することもできるし、同時に制御することもできる。
【０１５５】
ヒータ制御部７２ｅは、熱的制御を行う。例えば、ヒータ制御部７２ｅは、ヒータ５４０の発熱のＯＮ又はＯＦＦや、発熱温度を制御する。ヒータ制御部７２ｅは、ヒータ５４０の発熱のＯＮ又はＯＦＦや、発熱温度を刺激付与ユニット５０Ｒと刺激付与ユニット５０Ｌで個別に制御することもできるし、同時に制御することもできる。
【０１５６】
操作検知部７２ｆは、ユーザＵのスイッチ群２０の操作を検知する。スイッチ群２０の検知に対応して、例えば、電源制御部７２ａ、電極制御部７２ｂ、発光制御部７２ｃ、振動制御部７２ｄ、ヒータ制御部７２ｅは上記した制御を行う。
【０１５７】
充電制御部７２ｇは、電源４０の充電の開始又は終了を制御する。
【０１５８】
中間接続基板８０は、図２に示すように、ハウジング１０の正面部１０１内部の略中央部（孔１０１eの近く）に位置する。
【０１５９】
中間接続基板８０は、電源４０、制御部７０及び刺激付与ユニット５０などの電気的に接続が必要な各部位に対して電気的な中継を行う。中間接続基板８０には様々な配線パターンを設けることができる。この配線パターンを使用することで各部位の配線（リード線での接続）を簡素化できる。結果的に、配線（リード線での接続）によるハウジング１０の大型化を抑制することができる。
【０１６０】
（使用方法）
目元用美容装置１の使用方法を説明する。まず、ユーザＵは、変位機構６０のスライド部６１０を介して刺激付与ユニット５０を自分が所望する位置に移動させる。次に図２に示すように目元用美容装置１を顔に装着する。
【０１６１】
ユーザＵが、スイッチ群２０を操作することにより、刺激付与ユニット５０による振動、叩き、光、電気又は熱のうちの少なくとも一つの刺激の付与が開始される。
【０１６２】
以上説明したように、この実施形態の目元用美容装置１は、保持体（ハウジング１０）と、前記保持体に設けられ利用者（ユーザＵ）の肌面に刺激を与える刺激付与部（刺激付与ユニット５０）と、前記刺激を与えられる肌面と対応する側に位置し、刺激感を向上させる少なくとも一つの刺激補助部（開放部１０ａ、振動伝達部５２４、スライド部６１０及び回転部６２０のうちの少なくとも一つ）とを具備することを特徴とする。
【０１６３】
少なくとも１つの刺激補助部によって、刺激付与部による刺激とは異なる刺激を肌面に供給すること、刺激付与部による刺激のタイミングを異ならせること、刺激付与部により刺激される肌の部位を容易に変更すること、刺激付与部による刺激を確実に肌面に供給することのうち、少なくとも１つの効果を得ることができる。この結果、ユーザＵが装置に飽きてしまいやすくなることを効果的に抑制することができる。
【０１６４】
この実施形態の目元用美容装置１は、１の刺激補助部（開放部１０ａ）は、前記肌面に刺激を与える際に前記利用者（ユーザＵ）の顔に位置されて前記利用者に視覚的な刺激を与える前記保持体の部位（開放部１０ａ）であることを特徴とする。
【０１６５】
この実施形態の目元用美容装置１は、前記肌面に刺激を与える際に前記利用者（ユーザＵ）の顔に対向して位置される第１の面（裏面１０１ｄ）と、当該第１の面の反対側の第２の面（正面１０１ｃ）を前記保持体（ハウジング１０）が備え、１の刺激補助部（開放部１０ａ）は、前記第１の面から前記第２の面を貫通して設けられる前記保持体の切り欠き部分を含むことを特徴とする。
【０１６６】
ハウジング１０の開放部１０ａによってユーザＵの視界が確保されるので、目元に例えば振動や叩きの刺激を与えながらさらに視覚的な刺激をユーザＵに与えることができる。例えば、テレビを視聴したり、料理をしたりしながら目元用美容装置１を使用することができる。
【０１６７】
このように開放部１０ａによって、別のことを行いながら目元用美容装置１を使用することができるので、ユーザＵが装置に飽きてしまいやすくなることを効果的に抑制することができる。
【０１６８】
また、ユーザＵの視界が確保されるので、ユーザＵが目元用美容装置１を装着しながら場所を移動しても安全に移動することがある。ユーザＵは、目元用美容装置１を使用しながら好きな時に好きな場所に安全に移動可能なので、移動するたびに目元用美容装置１を取り外さなくて済む。
【０１６９】
このため、移動するたびに目元用美容装置１を取り外さすことに煩雑さを感じてユーザＵが装置を使用することのモチベーションが低下してしまうことを効果的に抑制することができる。
【０１７０】
また、ユーザＵの視界が確保されるので、周囲の状況を常に確認できるので安全である（例えば、部屋の中に危険なものがあった場合に察知しやすい）。目元用美容装置１のような機器においては、機器の使用中の安全性を向上させるという課題もある。目元用美容装置１は、開放部１０ａによって機器の使用中の安全性を効果的に向上させることができる。
【０１７１】
この実施形態の目元用美容装置１は、前記刺激付与部（刺激付与ユニット５０）が筐体（刺激付与ユニット５０の筐体５１０）を具備し、１の刺激補助部（回転部６２０）は、前記筐体を前記保持体（ハウジング１０）に回転可能に接続する接続部であることを特徴とする。
【０１７２】
目元用美容装置１を顔に装着した際、刺激付与ユニット５０は、ハウジング１０とユーザＵの肌面の間に位置し、肌面方向に押される。このとき、刺激付与ユニット５０は、回転部６２０によってユーザＵの顔の曲面に対応して回転する。
【０１７３】
この結果、刺激付与ユニット５０の接触面５１０ｂに位置する第１叩き部５２１及び第２叩き部５２２、第１電極部５３０ａ及び第２電極部５３０ｂを眼頭及び目尻の両方に適切に当接させやすくなる（当接性が向上する。）。
【０１７４】
要するに、回転部６２０によって、顔の曲面の個人差を吸収しやすくなり、ユーザＵにとって最適な刺激付与ユニット５０の角度で肌面に刺激を与えることができる。すなわち、ユーザＵの肌面への刺激付与の確実性を向上させることができる。
【０１７５】
このため、不適な角度によってユーザＵの肌面への刺激付与がうまくいかなくなってしまうことを抑制することができ、装置を使用することのモチベーションが低下してしまうことを効果的に抑制することができる。
【０１７６】
この実施形態の目元用美容装置１は、前記保持体（ハウジング１０）が、前記利用者の顔に装着され、前記筐体（刺激付与ユニット５０の筐体５１０）は前記１の刺激補助部（回転部６２０）を介して前記保持体に設けられ、かつ前記利用者の目尻側に位置される第１の縁部（刺激付与ユニット５０の第１の側面５１０ｃ）を備え、前記１の刺激補助部（回転部６２０）は、前記保持体の中央部よりも前記第１の縁部側に設けられることを特徴とする。
【０１７７】
図８を用いて説明したように、回転部６２０は、目元用美容装置１の中央部よりも目尻側に位置している。このことにより、回転部６２０（すなわち、刺激付与ユニット５０の回転軸）からユーザＵの目頭までの距離と、回転部６２０からユーザＵの目尻までの距離の差を小さくすることができる。この結果としてユーザＵの目頭と目尻の両方に同時に接触面５１０ｂ及びこの接触面５１０ｂに位置する上記した各部（例えば、第１叩き部５２１や第１叩き部５２２など）を密着させやすくなる。
【０１７８】
この実施形態の目元用美容装置１は、前記筐体（刺激付与ユニット５０の筐体５１０）の回転角度は、前記利用者の第１の目から当該第１の目の反対側の第２の目に向かう方向を基準にして少なくとも０度よりも大きく１８０度よりも小さい範囲であることを特徴とする。
【０１７９】
また、前記筐体の回転角度は、４０度以上５０度以下であることが望ましい。このような角度で回転部６２０を設けることで、すでに述べたように刺激付与ユニット５０の配置方向を人体の顔の曲面に対応させることができる。この結果、ユーザＵの肌面への刺激付与ユニット５０の当接性を効果的に向上させることができる。
【０１８０】
この実施形態の目元用美容装置１は、１の刺激補助部（振動伝達部５２４）は、前記利用者の肌面と接触する方向又は離れる方向に移動して前記肌面に刺激を与える刺激付与体（腕部５２７）を備えることを特徴とする。
【０１８１】
腕部５２７が、ユーザＵの肌面と接触する方向又は離れる方向に移動して前記肌面に刺激を与えることによって、ユーザＵの肌面に叩く刺激を与えることができる。
【０１８２】
この実施形態の目元用美容装置１は、前記刺激付与部（刺激付与ユニット５０）は、振動体（振動モータ５２３）を備え、前記１の刺激補助部（振動伝達部５２４）は、前記利用者の肌面と接触する方向又は離れる方向に移動して前記肌面に刺激を与える第２の刺激付与体（モータ保持部５２８）をさらに備え、前記刺激付与体（腕部５２７）は、前記振動体の振動に対応して第１のタイミングで移動し、前記第２の刺激付与体は、前記振動子の振動に対応して、前記第１のタイミングとは異なる第２のタイミングで移動することを特徴とする。
【０１８３】
叩きのタイミングを異ならせることによってユーザＵに与えられる刺激が単調になりやすくなることを効果的に抑制することができる。
【０１８４】
なお、腕部５２７による叩きとモータ保持部５２８による叩きは、タイミングだけではなく刺激する場所も異なるので、振動部５２０の振動エネルギーが小さい場合でもユーザＵは刺激を感じやすくなる。したがって、皮膚が薄い顔や目元に過度な刺激を与えなくともユーザＵは刺激を感じることができる。目元用美容装置１では、このような作用及び効果を刺激付与ユニット５０Ｒにおいて１つの振動モータ５２３で実現することができる（刺激付与ユニット５０Ｌも同様）。
【０１８５】
１の前記刺激補助部（スライド部６１０）は、前記保持体（ハウジング１０）に対する前記刺激付与部（刺激付与ユニット５０）の位置を相対的に移動させる移動機構（スライド部６１０）であることを特徴とする。
【０１８６】
スライド部６１０によって、刺激付与ユニット５０をスライドさせることで、顔の大きさや目の位置の個人差を吸収できる。すなわち、ユーザＵにとって最適な位置で、ユーザＵの目頭と目尻の両方に同時に接触面５１０ｂ及びこの接触面５１０ｂに位置する第１叩き部５２１などの各部を接触させやすくなる。すなわち、ユーザＵの肌面への刺激付与の確実性を効果的に向上させることができる。
【０１８７】
このため、不適な位置によってユーザＵの肌面への刺激付与がうまくいかなくなってしまうことを抑制することができ、ユーザＵが装置に飽きてしまいやすくなることを抑制すること。
【０１８８】
また、スライド部６１０によって、刺激付与ユニット５０を移動させることで、刺激を与える部位をユーザＵが好きな時に好きな場所へ簡単に変更することもできる。したがって刺激にマンネリ感を覚えてしまうことを効果的に抑制することができる。
【０１８９】
また、刺激を与える部位を簡単に調整することができるので、ユーザＵが煩雑な思いをすることを抑制することができる。このことによって、ユーザＵが目元用美容装置１を使用することのモチベーションが低下してしまうことをさらに効果的に抑制することができる。
【０１９０】
この実施形態の目元用美容装置１は、前記刺激付与部（刺激付与ユニット５０）は、前記肌面に電流を流す電極（電極部５３０）、前記肌面に熱を供給する熱供給手段（ヒータ５４０）、前記肌面に光を供給する発光手段（発光部５５０）のうちの少なくとも一つを備えることを特徴とする。また、目元用美容装置１は、前記肌面を加湿する加湿手段（この後説明する液体タンク３１０及び加湿孔３１１）を備えることもできる。
【０１９１】
このような各手段を備えることにより、様々な刺激をユーザＵの肌面に与えることができる。
【０１９２】
この実施形態の目元用美容装置１は、前記刺激付与部（刺激付与ユニット５０）の少なくとも一部は、金属及び／又は炭素を含む樹脂で形成されることを特徴とする。
【０１９３】
例えば、第１電極部５３０ａ及び第２電極部５３０ｂを窒化アルミニウムなどの金属化合物を含む樹脂で構成することにより、ヒータ５４０の熱を効率よく第１電極部５３０ａ及び第２電極部５３０ｂに伝えることができる。
【０１９４】
この実施形態の目元用美容装置１は、前記保持部（ハウジング１０）は、前記利用者の顔側に位置される第１の部位（正面部１０１）と、前記利用者の顔から後頭部に向かう方向に沿って、第１の部位から延設される第２の部位（第１の側面部１０２及び第２の側面部１０３）を備え、前記刺激付与部（刺激付与ユニット５０）及び前記１の刺激補助部（開放部１０ａ、振動伝達部５２４、スライド部６１０、回転部６２０のうちの少なくとも１つ）は前記第１の部位側に設けられ、前記第２の部位は、前記刺激付与部に電力を供給する制御部（制御部７０）を収容することを特徴とする。
【０１９５】
例えば、第１の側面部１０２に制御部７０を設けることで、正面部１０１が巨大になってしまうことを効果的に抑制することがきる。
【０１９６】
この実施形態の目元用美容装置１は、前記第２の部位（第１の側面部１０２及び第２の側面部１０３）は、前記利用者の第１の側頭部側に位置される部位（第１の側面部１０２）と、前記第１の側頭部の反対側の第２の側頭部側に位置される部位（第２の側面部１０３）を備え、前記制御部（制御部７０）は、前記第１の側頭部側に位置される部位又は前記第２の側頭部側に位置される部位のどちらか一方に設けられ、前記制御部が設けられた方とは逆側の部位には、少なくとも前記刺激付与部に電力を供給するための電源（電源４０）を保持する電源保持部が設けられることを特徴とする。
【０１９７】
制御部７０と電源４０を目元用美容装置１の第１の側面部１０２及び第２の側面部１０３に振り分けて配置することで、目元用美容装置１の全体の重量バランスを良好に保つことができる。
【０１９８】
この結果として目元用美容装置１を装着している間に装着位置がずれることを効果的に抑制することができる。また、全体の重量バランスを良好に保つことで、目元用美容装置１を装着しているユーザＵの例えば鼻などに負担が偏ってしまうことを軽減することができる。
【０１９９】
この実施形態の目元用美容装置１は、前記保持部（ハウジング１０）の一部（接続部１０４）は、弾性変形することを特徴とする。そして、前記弾性変形する一部（接続部１０４）と当該一部とは異なる部位（接続部１０４以外の部位）は、それぞれ異なる断面二時モーメントを備えることを特徴とする。
【０２００】
接続部１０４の断面二次モーメントを小さくすることで、接続部１０４での「たわみ」を大きくできる。この結果、ハウジング１０のたわみが接続部１０４に集中する。
【０２０１】
例えば、目元用美容装置１の装着時にユーザＵの頭の大きさに合わせて、ハウジング１０をたわませる（すなわち、目元用美容装置１の装着のために第１の側面部１０２及び第２の側面部１０３を各々外側に広げる）とき、制御部７０や電源４０の収容箇所など、たわませたくない部分のたわみを無くすか又は最小限にとどめることができる。
【０２０２】
目元用美容装置１は、さらに下記に示す（１）及び（２）の作用の少なくとも一方によって、ユーザＵが装置に飽きてしまいやすくなることを抑制することができる。
【０２０３】
（１）叩きの速さ（振動モータ５２３の回転速度）や振動モータ５２３の回転方向を所定時間毎に異ならせることでユーザＵに与えられる刺激が単調になりやすくなることを効果的に抑制することができる。また、このような叩きの速さや回転方向を刺激付与ユニット５０Ｒと刺激付与ユニット５０Ｌで異ならせることでユーザＵに与えられる刺激が単調になりやすくなることをさらに効果的に抑制することができる。
【０２０４】
（２）振動伝達部５２４によって振動モータ５２３の振動エネルギーを第１叩き部５２１及び第２叩き部５２２に効率よく伝えることができ、例えばハウジング１０への振動の伝搬を最小限にとどめることができる。すなわち、無駄な振動を抑制することができる。
【０２０５】
（変形例１）
【０２０６】
本発明は、上記した構造や形状のものに限定されるものではなく、その要旨を逸脱しない限りにおいて適宜に設計変更して具体化できる。
【０２０７】
本願の変形例１にかかる目元用美容装置２を図１０及び図１１に示す。図１０は、目元用美容装置２を説明する概略図である。図１１は、目元用美容装置２の制御装置７２の機能ブロック図である。なお、図１０及び図１１では上記した実施形態と対応する構成には同一の符号を付して詳細な説明は省略する。また図１０では、図面の見やすさを優先させて図１に示した電源４０の図示を省略している。
【０２０８】
図１０に示すように、少なくとも１つ（図１０では１つ）の液体タンク３１０及び少なくとも一つ（図１０では、片方に２つ合計４つ）の加湿孔３１１をさらに備えるようにしてもよい。
【０２０９】
液体タンク３１０及び加湿孔３１１によって肌面に加湿の刺激を与えることができる。ユーザＵは、加湿による美容処理の効果を期待することができる。液体タンク３１０及び加湿孔３１１は図示しない管路によって接続される。
【０２１０】
液体タンク３１０には液体（例えば、水や、美容効果を期待できる美容液や化粧液）が蓄えられる。第２の側面部１０３の所定の箇所には、液体タンク３１０の位置に対応させて液体タンク３１０に給液するための給液口３１０ａが設けられている。
【０２１１】
なお、図１０では液体タンク３１０及び給液口３１０ａは、第２の側面部１０３に位置しているが、液体タンク３１０及び給液口３１０ａの配置位置は特に限定されず、例えば、第１の側面部１０２などハウジング１０の所定の箇所や刺激付与ユニット５０内など、様々な場所に設けることができる。
【０２１２】
加湿孔３１１は、液体を噴霧する。噴霧方法は特に限定されず、例えば、加湿孔３１１に超音波振動子を設けて液体を霧化したり、液体を加熱して蒸気化したりするように構成することができる。蒸気化するための加熱手段は、ヒータ５４０でもよいし別途設けてもよい。また、自然蒸発した蒸気を供給するものであってもよい。
【０２１３】
液体タンク３１０内の液体を管路に流す場合、高低差を利用して液体の自重によって液体が管路を流れるようにしてもよいし、目元用美容装置１が、小型のポンプを備えるようにしてもよい。また、気圧差を利用する構成でもよい。
【０２１４】
なお、図１０では、加湿孔３１１は、第１電極部５３０ａ及び第２電極部５３０ｂの間に位置しているが、加湿孔３１１の配置位置は特に限定されず、例えば、ハウジング１０の裏面１０１ｄなど、様々な場所に設けることができる。
【０２１５】
液体タンク３１０及び加湿孔３１１を備える場合、制御部７０の制御装置７２は、図１１に示すように、加湿制御部７２ｈをさらに備える。
【０２１６】
以下に加湿制御部７２ｈによる制御の例を記載する。
【０２１７】
加湿制御部７２ｈは、液体タンク３１０の残量を図示しないセンサによって検知することができる。残量が閾値以下の場合、加湿制御部７２ｈは、動作表示部３０を制御してユーザＵにその旨を報知する。
【０２１８】
液体を加熱して蒸気化させる場合、加湿制御部７２ｈは、液体の温度管理や加熱手段のＯＮ又はＯＦＦを行う。また、目元用美容装置１が超音波振動子を備える場合には、超音波振動子のＯＮ又はＯＦＦを行う。
【０２１９】
（変形例２）
【０２２０】
本願の変形例２にかかる目元用美容装置３を図１２に示す。図１２は、目元用美容装置３を説明する概略図である。なお、図１２では上記した実施形態と対応する構成には同一の符号を付して詳細な説明は省略する。
【０２２１】
図１２に示すように、例えば、プラスチックやガラスなどの光透過性を備えるバイザー２００（板状の部材）で開放部１０ａを覆ってもよい。バイザー２００は例えばハウジング１０に取りつけられる。
【０２２２】
例えば、バイザー２００を透明とした場合、視界を確保するとともにホコリなどの異物から目を保護することができる。なお、ユーザＵの視界が確保可能であればバイザー２００は透明でなくともよい。
【０２２３】
バイザー２００は、眼鏡やサングラスのような機能を備えてもよい。すなわち、拡大鏡のような機能や紫外線をカットする機能、光の眩しさを低減する機能を備えていてもよい。
【０２２４】
バイザー２００は動かないように固定されて（所謂、はめ殺し状態）もよいし、シャッターやヘルメットのバイザーのように、例えば上下に可動するように取りつけられてもよい。バイザー２００が可動することでユーザＵの視界が確保可能であればバイザー２００は光透過性を有さなくともよい。
【０２２５】
（変形例３）
【０２２６】
本願の変形例３にかかる目元用美容装置４を図１３に示す。図１３は、目元用美容装置４を説明する概略図である。なお、図１３では上記した実施形態や各変形例と対応する構成には同一の符号を付して詳細な説明は省略する。
【０２２７】
図１３に示すように、正面部１０１の形状を変形してもよい。すなわち、正面部１０１がユーザＵの顔の少なくとも１部を覆う覆い部１０１ｊを備えてもよい。図１３では、一例として覆い部１０１ｊはユーザＵの額を覆っている。この場合、開放部１０ａは、正面１０１ｃから裏面１０１ｄにかけてハウジング１０を貫通する貫通孔である。
【０２２８】
この変形例３の開放部１０ａに変形例２で説明したバイザー２００を設けることもできる。なお、バイザー２００とハウジング１０を一体成型することで、貫通孔を設けることなく、バイザー２００を設けることもできる（変形例２も同様）。この場合、バイザー２００が開放部１０ａとして機能する。バイザー２００そのものを正面部１０１として機能させてもよい。
【０２２９】
（その他の変形例）
【０２３０】
目元用美容装置１ないし４は、ブザーやスピーカーなど、音を発する報知手段を備えてもよい。この場合、制御部７０は、例えば目元用美容装置１の動作状態を音で報知することができる。ブザーやスピーカーを第２の側面部１０３に設けるようにすれば、制御部７０の近く、又は制御部７０上に内蔵させることができる。この場合、配線を簡素化できるので設計の容易性が向上する。
【０２３１】
上記実施形態や各変形例の構成を適宜組み合わせてもよいし、本願発明の趣旨の範囲内でいくつかの構成要素を減らしてもよい。例えば、刺激補助部の数を減らしてもよい。また、目元用美容装置１は、ユーザＵの顔に装着するタイプであるが、顔以外の部位（例えば、腕や肩や脚）などに装着するタイプにも応用することができる。
【産業上の利用可能性】
【０２３２】
以上で説明したように、本発明は、ユーザＵが装置に飽きてしまいやすくなることを好適に抑制することが可能な刺激付与装置を提供することができる。
【符号の説明】
【０２３３】
１，２，３，４  目元用美容装置
１０      ハウジング
１０ａ    開放部
２０      スイッチ群
３０      動作表示部
４０      電源
５０      刺激付与ユニット
５０Ｌ    刺激付与ユニット
５０Ｒ    刺激付与ユニット
６０      変位機構
７０      制御部
７１      メモリ装置
７２      制御装置
７２ａ    電源制御部
７２ｂ    電極制御部
７２ｃ    発光制御部
７２ｄ    振動制御部
７２ｅ    ヒータ制御部
７２ｆ    操作検知部
７２ｇ    充電制御部
７２ｈ    加湿制御部
７３      Ｉ／Ｏ部
７４      バス
８０      中間接続基板
１０１    正面部
１０１ａ  上面
１０１ｂ  底面
１０１ｃ  正面
１０１ｄ  裏面
１０１ｄ  裏面
１０１ｅ  孔
１０１ｆ  空間
１０１ｇ  溝部
１０１ｈ  溝部
１０１ｊ  覆い部
１０２    第１の側面部
１０２ａ  上面
１０３    第２の側面部
１０３ａ  上面
１０４    接続部
２００    バイザー
３１０    液体タンク
３１０ａ  給液口
３１１    加湿孔
５１０    筐体
５１０ａ  上面
５１０ｂ  接触面
５１０ｃ  第１の側面
５１１    スロープ
５２０    振動部
５２１    第１叩き部
５２２    第２叩き部
５２３    振動モータ
５２３ａ  モータ本体
５２４    振動伝達部
５２６    軸部
５２６ａ  胴部
５２６ｂ  第１の回転軸
５２６ｃ  第２の回転軸部
５２７    腕部
５２７ａ  接触面
５２８    モータ保持部
５２８ａ  接触面
５２９    リード線
５３０    電極部
５３０ａ  第１電極部
５３０ｂ  第２電極部
５４０    ヒータ
５５０    発光部
６１０    スライド部
６１１    本体
６１１    本体部
６１１ａ  開口
６１２    係止部
６１３    第１の腕部
６１４    第２の腕部
６２０    回転部
【図１】
2020068960.tif 000003
【図２】
2020068960.tif 000004
【図３】
2020068960.tif 000005
【図４】
2020068960.tif 000006
【図５】
2020068960.tif 000007
【図６】
2020068960.tif 000008
【図７】
2020068960.tif 000009
【図８】
2020068960.tif 000010
【図９Ａ】
2020068960.tif 000011
【図９Ｂ】
2020068960.tif 000012
【図１０】
2020068960.tif 000013
【図１１】
2020068960.tif 000014
【図１２】
2020068960.tif 000015
【図１３】
2020068960.tif 000016